【手続補正書】
【提出日】平成22年7月23日(2010.7.23)
【手続補正１】
【補正対象書類名】特許請求の範囲
【補正対象項目名】全文
【補正方法】変更
【補正の内容】
【特許請求の範囲】
【請求項１】
正面側に区画形成された機器室と背面側に区画形成された母線室とを有する筐体と、 前記筐体の母線室内に前記筺体の幅方向に配置された主母線と、前記筐体の母線室内に設けられ前記主母線に連結された連絡母線と、記筐体の母線室内に設けられ負荷側にケーブルを介して接続された引出母線と、 前記筐体の機器室内に、前記筺体の上下方向に積載配置され、移動可能な台車上に設置された開閉器を有し、前記開閉器の背面部には、該開閉器の固定電極側に接続する端子と可動電極側に接続する端子とが上下いずれかに配置され、該端子が前記筺体に設けられた気中ブッシング部を介して前記連絡母線及び前記引出母線と接離可能に接続される開閉器ユニットと、 前記開閉器ユニットに替えて、前記連絡母線及び前記引出母線のいずれか一方を選択的に接地する引出し可能な接地開閉装置と、 前記接地開閉装置は、可動電極と固定電極とを備えた開閉器部と、前記可動電極及び前記固定電極のいずれか一方と接続する上部導体と、前記可動電極及び前記固定電極のいずれか他方と接続する下部導体と、前記下部導体を前記筺体の接地用端子に接続する接地線と、前記連絡母線の気中ブッシング部及び前記引出母線の気中ブッシング部のいずれか一方に接続されるように、前記上部導体の上下面に選択的に付け替え可能なアダプタ導体とを備えた ことを特徴とするスイッチギヤ。
【請求項２】
請求項１記載のスイッチギヤにおいて、 前記接地開閉装置のアダプタ導体は、断面略コ字状に形成され、 前記アダプタ導体の一端の面を前記上部導体の一端の上下面にボルトの締め付けによって選択的に付け替え可能とした ことを特徴とするスイッチギヤ。
【請求項３】
請求項１または２に記載のスイッチギヤにおいて、 前記接地開閉装置は、前記上部導体と導体を介して接続される電圧検出装置を備えている ことを特徴とするスイッチギヤ。
【請求項４】
請求項３に記載のスイッチギヤにおいて、 前記接地開閉装置は、前記電圧検出装置の出力信号により前記連絡母線または前記引出母線の充電の有無を表示する表示回路を設けた ことを特徴とするスイッチギヤ。
【請求項５】
請求項３または４に記載のスイッチギヤにおいて、 前記接地開閉装置は、前記電圧検出装置の出力信号により前記連絡母線または前記引出母線が充電時には、前記開閉器部の投入を阻止する制御回路を設けた ことを特徴とするスイッチギヤ。
【請求項６】
請求項１乃至５のいずれか１項に記載のスイッチギヤにおいて、 前記主母線、前記連絡母線、及び前記引出母線は、固体絶縁母線で形成された ことを特徴とするスイッチギヤ。
【手続補正２】
【補正対象書類名】明細書
【補正対象項目名】発明の名称
【補正方法】変更
【補正の内容】
【発明の名称】スイッチギヤ
【手続補正３】
【補正対象書類名】明細書
【補正対象項目名】０００１
【補正方法】変更
【補正の内容】
【０００１】  本発明は、スイッチギヤに係り、更に詳しくは、多段積み形式のスイッチギヤに関するものである。
【手続補正４】
【補正対象書類名】明細書
【補正対象項目名】００１０
【補正方法】変更
【補正の内容】
【００１０】  本発明は、上述の事柄に基づいてなされたもので、その目的は、接地個所が異なるために盤側の主回路の接続部の高さに変更がある場合であっても、容易に接地接続可能な接地装置を備えたスイッチギヤを提供するものである。
【手続補正５】
【補正対象書類名】明細書
【補正対象項目名】００１１
【補正方法】変更
【補正の内容】
【００１１】  （１）上記目的を達成するために、本発明は、正面側に区画形成された機器室と背面側に区画形成された母線室とを有する筐体と、前記筐体の母線室内に前記筺体の幅方向に配置された主母線と、前記筺体の母線室内に設けられ前記主母線に連結された連絡母線と、前記筺体の母線室内に設けられ負荷側にケーブルを介して接続された引出母線と、前記筐体の機器室内に、前記筺体の上下方向に積載配置され、移動可能な台車上に設置された開閉器を有し、前記開閉器の背面部には、該開閉器の固定電極側に接続する端子と可動電極側に接続する端子とが上下いずれかに配置され、該端子が前記筺体に設けられた気中ブッシング部を介して前記連絡母線及び前記引出母線と接離可能に接続される開閉器ユニットと、前記開閉器ユニットに替えて、前記連絡母線及び前記引出母線のいずれか一方を選択的に接地する引出し可能な接地開閉装置と、前記接地開閉装置は、可動電極と固定電極とを備えた開閉器部と、前記可動電極及び前記固定電極のいずれか一方と接続する上部導体と、前記可動電極及び前記固定電極のいずれか他方と接続する下部導体と、前記下部導体を前記筺体の接地用端子に接続する接地線と、前記連絡母線の気中ブッシング部及び前記引出母線の気中ブッシング部のいずれか一方に接続されるように、前記上部導体の上下面に選択的に付け替え可能なアダプタ導体とを備えたものとする。
【手続補正６】
【補正対象書類名】明細書
【補正対象項目名】００１２
【補正方法】変更
【補正の内容】
【００１２】  （２）上記（１）において、好ましくは、前記接地開閉装置は、断面略コ字状のアダプタ導体を備え、前記アダプタ導体の一端の面を前記上部導体の一端の上下面にボルトの締め付けによって選択的に付け替え可能としたものとする。
【手続補正７】
【補正対象書類名】明細書
【補正対象項目名】００１３
【補正方法】変更
【補正の内容】
【００１３】  （３）上記（１）又は（２）において、好ましくは、前記接地開閉装置は、前記上部導体と導体を介して接続される電圧検出装置を備えているものとする。 （４）上記（３）において、好ましくは、前記接地開閉装置は、前記電圧検出装置の出力信号により前記連絡母線または前記引出母線の充電の有無を表示する表示回路を設けたものとする。 （５）上記（３）又は（４）において、好ましくは、前記接地開閉装置は、前記電圧検出装置の出力信号により前記連絡母線または前記引出母線が充電時には、前記開閉器部の投入を阻止する制御回路を設けたものとする。  （６）上記（１）乃至（５）のいずれかにおいて、好ましくは、前記主母線、前記連絡母線、及び前記引出母線は、固体絶縁母線で形成されたものとする。
【手続補正８】
【補正対象書類名】明細書
【補正対象項目名】００１４
【補正方法】変更
【補正の内容】
【００１４】  本発明によれば、接地箇所が異なるために盤側の主回路の接続部の高さに変更がある場合であっても、接地装置の主回路接続部の高さ調整を可能にしたので、接地装置上の機器、及びその配置構成を変えることなく、容易に接地接続可能としたスイッチギヤを提供することができる。その結果、設備設置費用の高価格化を抑制することができると共に、部品交換等の保守作業に費やす時間と経費を軽減することができる。
【手続補正９】
【補正対象書類名】明細書
【補正対象項目名】００１５
【補正方法】変更
【補正の内容】
【００１５】
【図１】本発明のスイッチギヤの一実施の形態が適用される固体絶縁母線スイッチギヤを一部断面にて示す側面図である。
【図２】本発明のスイッチギヤの一実施の形態を構成する接地開閉装置を一部断面にて示す側面図である。
【図３】本発明のスイッチギヤの一実施の形態を構成する接地開閉装置を後面から示す斜視図である。
【図４】本発明のスイッチギヤの一実施の形態を構成する接地開閉装置を前面から示す斜視図である。
【図５】本発明のスイッチギヤの一実施の形態を構成する接地開閉装置を上段に備える固体絶縁母線スイッチギヤを一部断面にて示す側面図である。
【図６】本発明のスイッチギヤの一実施の形態を構成する接地開閉装置を下段に備える固体絶縁母線スイッチギヤを一部断面にて示す側面図である。
【手続補正１０】
【補正対象書類名】明細書
【補正対象項目名】００１６
【補正方法】変更
【補正の内容】
【００１６】  以下に、本発明のスイッチギヤの実施の形態を図面を用いて説明する。    図１乃至図４は本発明のスイッチギヤの一実施の形態を示すもので、図１は本発明のスイッチギヤの一実施の形態が適用される固体絶縁母線スイッチギヤを一部断面にて示す側面図、図２は本発明のスイッチギヤの一実施の形態を構成する接地開閉装置を一部断面にて示す側面図、図３は本発明のスイッチギヤの一実施の形態を構成する接地開閉装置を後面から示す斜視図、図４は本発明のスイッチギヤの一実施の形態を構成する接地開閉装置を前面から示す斜視図である。
【手続補正１１】
【補正対象書類名】明細書
【補正対象項目名】００１７
【補正方法】変更
【補正の内容】
【００１７】  まず、本発明のスイッチギヤの一実施の形態が適用される固体絶縁母線スイッチギヤについて説明する。図１において、固体絶縁母線スイッチギヤにおける筺体１は、固体絶縁母線を支持する接地された仕切り板２により正面側と背面側とに仕切られ、背面側（図１の左側）に母線室５が区画形成され、正面側（図１の右側）の上下には、さらに密閉カバー３によって３つの機器室４，４，４が区画形成されている。筺体１の前面側には、開閉可能な正面扉１Ａが設けられ、同様に背面側には、開閉可能な背面扉１Ｂが設けられている。また、機器室４，４，４と正面扉１Ａの裏側との間には、制御室が区画形成されている。
【手続補正１２】
【補正対象書類名】明細書
【補正対象項目名】００２５
【補正方法】変更
【補正の内容】
【００２５】  次に、本発明のスイッチギヤの一実施の形態を構成する接地開閉装置を図２乃至図４を用いて説明する。    接地装置１０１は、４個の車輪を有する移動可能な台車１０２に搭載されていて、台車１０２の前側に配置されている操作部と、その後部に配置されている３個の絶縁筒１０４からなる開閉器部と、操作部の上部に配置されているフレーム１０３とで形成されている。台車１０２の後面側（図２の左側）の下部には、移動方向に突出した押圧バー１０９が設けられている。また、台車１０２の左右の後部車輪の後側に２個の位置決めアーム１１０が設けられている。
【手続補正１３】
【補正対象書類名】明細書
【補正対象項目名】００３１
【補正方法】変更
【補正の内容】
【００３１】  次に、上述した本発明のスイッチギヤの一実施の形態の動作を図５及び図６を用いて説明する。    図５は、本発明のスイッチギヤの一実施の形態を構成する接地開閉装置を上段に備える固体絶縁母線スイッチギヤを一部断面にて示す側面図、図６は、本発明のスイッチギヤの一実施の形態を構成する接地開閉装置を下段に備える固体絶縁母線スイッチギヤを一部断面にて示す側面図である。なお、図５及び図６において、図１乃至図４に示す符合と同符号のものは同一又は相当する部材であるのでその部分の説明を省略する。
【手続補正１４】
【補正対象書類名】明細書
【補正対象項目名】００４０
【補正方法】変更
【補正の内容】
【００４０】  次に、接地装置１０１をスイッチギヤの下段に挿入し、接地装置１０１の開閉器の投入を行う。これにより、供給側の主回路は、ケーブル２９、ケーブルヘッド２８、引出母線２３、下側端子１８、コンタクト１２３、アダプタ導体１２８、上部導体１２２、固定導体１２１、固定電極、可動電極、可動導体１２４、下部導体１２６、接地線１２７、取付部材１３１の経路でスイッチギヤの筺体アースと接続される。これにより部分停電状態での保守点検作業が可能となる。
【手続補正１５】
【補正対象書類名】明細書
【補正対象項目名】００４１
【補正方法】変更
【補正の内容】
【００４１】  上述した本発明のスイッチギヤの一実施の形態によれば、接地箇所が異なるために盤側の主回路の接続部の高さに変更がある場合であっても、接地装置１０１の主回路接続部であるコンタクト１２３の高さ調整を可能にしたので、接地装置上の機器、及びその配置構成を変えることなく、容易に接地接続可能としたスイッチギヤを提供することができる。その結果、設備設置費用の高価格化を抑制することができると共に、部品交換等の保守作業に費やす時間と経費を軽減することができる。
【手続補正１６】
【補正対象書類名】図面
【補正対象項目名】図１
【補正方法】変更
【補正の内容】
【図１】
2010193655.tif 000001